(57)【特許請求の範囲】
【請求項１】
移動通信システムで用いられる測定収集方法であって、
基地局が、無線環境の測定に係るパラメータを含む設定メッセージを無線端末に送信する工程と、
前記無線端末が、前記基地局から受信した前記設定メッセージに含まれる前記パラメータに従って、前記無線環境の測定を行った後、当該測定の結果と当該測定時の位置情報とを含む測定データを、前記基地局を含むネットワークに報告する工程と、
を有し、
前記基地局は、前記パラメータの一つとして、測定データを必要とする測定対象エリアを示す対象エリア情報と、測定データを不要とする前記測定対象エリア内の測定不要エリアを示す不要エリア情報と、を前記設定メッセージに含めて送信し、
前記無線端末は、前記不要エリア情報によって示される前記測定不要エリアに対応する測定データを、前記ネットワークへの報告対象から除外する、又は、前記測定不要エリアでは測定を中止し、該測定不要エリア以外の測定結果を含む測定データを、前記ネットワークに報告することを特徴とする測定収集方法。
【請求項２】
前記基地局、又は前記基地局の上位装置が、過去に収集された測定データに基づいて前記測定不要エリアを決定する工程をさらに有することを特徴とする請求項１に記載の測定収集方法。
【請求項３】
前記基地局は、測位機能を有する前記無線端末に対して、前記測定不要エリアを座標で指定した前記不要エリア情報を前記設定メッセージに含めて送信することを特徴とする請求項１又は２に記載の測定収集方法。
【請求項４】
移動通信システムの基地局であって、
無線環境の測定に係るパラメータを含む設定メッセージを無線端末に送信する送信部を有し、
前記送信部は、前記パラメータの一つとして、測定データを必要とする測定対象エリアを示す対象エリア情報と、測定の結果と当該測定時の位置情報とを含む測定データを不要とする前記測定対象エリア内の測定不要エリアを示す不要エリア情報とを、前記設定メッセージに含めて送信することを特徴とする基地局。
【請求項５】
移動通信システムの無線端末であって、
無線環境の測定に係るパラメータを含む設定メッセージを基地局から受信する受信部と、
前記受信部が受信した前記設定メッセージに含まれる前記パラメータに従って、前記無線環境の測定を行った後、当該測定の結果と当該測定時の位置情報とを含む測定データを、前記基地局を含むネットワークに報告するよう制御する制御部と、
を有し、
前記パラメータは、測定データを必要とする測定対象エリアを示す対象エリア情報と、測定データを不要とする前記測定対象エリア内の測定不要エリアを示す不要エリア情報と、を含み、
前記制御部は、前記不要エリア情報によって示される前記測定不要エリアに対応する測定データを、前記ネットワークへの報告対象から除外するよう制御する、又は、前記測定不要エリアでは測定を中止し、該測定不要エリア以外の測定結果を含む測定データを、前記ネットワークに報告するよう制御することを特徴とする無線端末。
【発明の詳細な説明】
【技術分野】
【０００１】
本発明は、ＭＤＴに用いられる測定収集方法、基地局、及び無線端末に関する。
【背景技術】
【０００２】
移動通信システムでは、基地局の周辺にビルが建設されたり、当該基地局の周辺基地局の設置状況が変化したりすると、当該基地局に係る無線環境が変化する。このため、従来では、オペレータにより、測定機材を搭載した測定用車両を使用し、無線環境を測定して測定結果及び測定時の位置情報を収集するドライブテストが行われている。
【０００３】
このような方法は、例えば基地局のカバレッジの最適化に貢献できるが、工数が多く、且つ費用が高いと言う課題がある。そこで、移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ユーザが所持する無線端末を使用して、当該測定及び収集を自動化する技術であるＭＤＴ(Ｍｉｎｉｍｉｚａｔｉｏｎ  ｏｆ  Ｄｒｉｖｅ  Ｔｅｓｔ)の仕様策定が進められている（非特許文献１及び２参照）。
【０００４】
ＭＤＴの一種として、即座報告型のＭＤＴ（以下、適宜Ｉｍｍｅｄｉａｔｅ  ＭＤＴと称する）がある。Ｉｍｍｅｄｉａｔｅ  ＭＤＴは、接続状態（コネクテッドモード）の無線端末が、ネットワークから設定されたパラメータに従って、測定を行い、測定結果及び位置情報をネットワークに報告するものである。ここで接続状態とは、無線端末が通信を実行している状態を意味する。
【０００５】
また、ＭＤＴの一種として、記録型のＭＤＴ（以下、適宜Ｌｏｇｇｅｄ  ＭＤＴと称する）がある。Ｌｏｇｇｅｄ  ＭＤＴは、アイドル状態（アイドルモード）の無線端末が、ネットワークから設定されたパラメータ（測定条件）に従って無線環境の測定を行い、測定結果を位置情報（及び時間情報）と共に測定データとして記録し、測定した測定データを後でネットワークに報告するものである。ここでアイドル状態とは、無線端末が通信を中断している状態（待ち受け中等）を意味する。
【先行技術文献】
【非特許文献】
【０００６】
【非特許文献１】3GPP TR 36.805 V9.0.0:“Study on Minimization of drive-tests in Next Generation Networks”, 2009-12
【非特許文献２】3GPP TS 37.320 V10.0.0: “Radio measurement collection for Minimization of Drive Tests (MDT); Overall description; Stage 2”, 2010-12
【発明の概要】
【発明が解決しようとする課題】
【０００７】
ＭＤＴでは、複数の無線端末が様々な条件で測定を行うことから、ネットワークにとって重要な測定データと、そうでない測定データとが混在すると考えられる。
【０００８】
しかしながら、ＭＤＴでは、無線端末は無線環境もしくは自身の状態が測定条件に合致する全ての場合において測定結果を測定データとして記録し、得られた全ての測定データをネットワークに報告するため、ネットワーク（すなわちオペレータ）が重要な測定データを十分に収集する事ができない虞がある。また重要でない情報が多く含まれている場合、ネットワークが真の問題以外の問題を重要問題として認識してしまい、不適切なオプティマイズを行う可能性もある。
【０００９】
そこで、本発明は、ＭＤＴにおいてネットワークが重要な測定データを収集し易くすることができる測定収集方法、基地局、及び無線端末を提供することを目的とする。
【課題を解決するための手段】
【００１０】
上述した課題を解決するために、本発明は以下のような特徴を有している。
【００１１】
本発明に係る測定収集方法の特徴は、移動通信システム（移動通信システム１）で用いられる測定収集方法であって、基地局（基地局ｅＮＢ）が、無線環境の測定に係るパラメータを含む設定メッセージを無線端末（無線端末ＵＥ）に送信する工程と、前記無線端末が、前記基地局から受信した前記設定メッセージに含まれる前記パラメータに従って、前記無線環境の測定を行った後、当該測定の結果と当該測定時の位置情報とを含む測定データを、前記基地局を含むネットワーク（Ｅ−ＵＴＲＡＮ１０）に報告する工程と、を有し、前記基地局は、前記パラメータの一つとして、測定データを必要とする測定対象エリアを示す対象エリア情報と、測定データを不要とする前記測定対象エリア内の測定不要エリアを示す不要エリア情報と、を前記設定メッセージに含めて送信し、前記無線端末は、前記不要エリア情報によって示される前記測定不要エリアに対応する測定データを、前記ネットワークへの報告対象から除外する、又は、前記測定不要エリアでは測定を中止し、該測定不要エリア以外の測定結果を含む測定データを、前記ネットワークに報告することを要旨とする。
【００１２】
このような特徴によれば、測定不要エリアをネットワーク側で指定できるようにし、測定不要エリアに対応する測定データを無線端末からネットワークに報告しないようにすることができるため、ネットワーク（すなわちオペレータ）が不要な（重要でない）測定データを収集しないようにすることができる。また、重要でない測定データを収集しないようにすることで、不適切なオプティマイズを引き起こす可能性を低減できる。
【００１３】
本発明に係る測定収集方法の他の特徴は、上記特徴において、前記基地局、又は前記基地局の上位装置（例えば保守監視装置ＯＡＭ）が、過去に収集された測定データに基づいて前記測定不要エリアを決定する工程をさらに有することを要旨とする。
【００１５】
本発明に係る測定収集方法の他の特徴は、上記特徴において、前記基地局は、測位機能（例えばＧＰＳ受信機２３０）を有する前記無線端末に対して、前記測定不要エリアを座標で指定した前記不要エリア情報を前記設定メッセージに含めて送信することを要旨とする。
【００１６】
本発明に係る測定収集方法の他の特徴は、上記特徴において、移動通信システム（移動通信システム１）の基地局（基地局ｅＮＢ）であって、無線環境の測定に係るパラメータを含む設定メッセージを無線端末（無線端末ＵＥ）に送信する送信部（無線通信部１１０及び制御部１４０）を有し、前記送信部は、前記パラメータの一つとして、測定データを必要とする測定対象エリアを示す対象エリア情報と、測定の結果と当該測定時の位置情報とを含む測定データを不要とする前記測定対象エリア内の測定不要エリアを示す不要エリア情報とを、前記設定メッセージに含めて送信することを要旨とする。
【００１７】
本発明に係る測定収集方法の他の特徴は、上記特徴において、移動通信システム（移動通信システム１）の無線端末（無線端末ＵＥ）であって、無線環境の測定に係るパラメータを含む設定メッセージを基地局（基地局ｅＮＢ）から受信する受信部（無線通信部２１０）と、前記受信部が受信した前記設定メッセージに含まれる前記パラメータに従って、前記無線環境の測定を行った後、当該測定の結果と当該測定時の位置情報とを含む測定データを、前記基地局を含むネットワーク（Ｅ−ＵＴＲＡＮ１０）に報告するよう制御する制御部（制御部２５０）と、を有し、前記パラメータは、測定データを必要とする測定対象エリアを示す対象エリア情報と、測定データを不要とする前記測定対象エリア内の測定不要エリアを示す不要エリア情報と、を含み、前記制御部は、前記不要エリア情報によって示される前記測定不要エリアに対応する測定データを、前記ネットワークへの報告対象から除外するよう制御し、又は、前記測定不要エリアでは測定を中止し、該測定不要エリア以外の測定結果を含む測定データを、前記ネットワークに報告するよう制御することを要旨とする。
【発明の効果】
【００１８】
本発明によれば、ＭＤＴにおいてネットワークが重要な測定データを収集し易くすることができる測定収集方法、基地局、及び無線端末を提供できる。
【図面の簡単な説明】
【００１９】
【図１】第１実施形態及び第２実施形態に係るに係る移動通信システム１の全体概略構成図である。
【図２】第１実施形態及び第２実施形態に係るに係る基地局ｅＮＢの構成を示すブロック図である。
【図３】第１実施形態及び第２実施形態に係るに係る無線端末ＵＥの構成を示すブロック図である。
【図４】第１実施形態及び第２実施形態に係る測定不要エリアの決定処理を説明するための図である。
【図５】第１実施形態に係る移動通信システムの動作シーケンス図である。
【図６】図５のステップＳ１２０の詳細を示すフローチャートである。
【図７】図５のステップＳ１４０の詳細を示すフローチャートである。
【図８】第１実施形態の第１変更例に係る移動通信システムの動作シーケンス図である。
【図９】図８のステップＳ２４０の詳細を示すフローチャートである。
【図１０】第１実施形態の第２変更例に係る移動通信システムの動作シーケンス図である。
【図１１】第２実施形態に係る移動通信システムの動作シーケンス図である。
【図１２】図１１のステップＳ４５０の詳細を示すフローチャートである。
【図１３】第２実施形態の第１変更例に係る移動通信システムの動作シーケンス図である。
【図１４】図１３のステップＳ５５０の詳細を示すフローチャートである。
【図１５】第２実施形態の第２変更例に係る移動通信システムの動作シーケンス図である。
【発明を実施するための形態】
【００２０】
図面を参照して、本発明の第１実施形態、第２実施形態、及びその他の実施形態を説明する。以下の各実施形態における図面において、同一又は類似の部分には同一又は類似の符号を付す。
【００２１】
［第１実施形態］
図１は、本実施形態に係る移動通信システム１の全体概略構成図である。本実施形態に係る移動通信システム１は、３ＧＰＰで仕様が策定されているＬＴＥ（Ｌｏｎｇ  Ｔｅｒｍ  Ｅｖｏｌｕｔｉｏｎ）に基づいて構成されており、上述したＩｍｍｅｄｉａｔｅ  ＭＤＴをサポートする。
【００２２】
図１に示すように、移動通信システム１は、無線端末ＵＥと、無線アクセスネットワークであるＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、移動管理装置ＭＭＥ／ゲートウェイ装置Ｓ−ＧＷと、保守監視装置ＯＡＭとを有する。Ｅ−ＵＴＲＡＮ１０は、複数の基地局ｅＮＢによって構成される。
【００２３】
無線端末ＵＥは、ユーザが所持する可搬型の無線通信装置である。無線端末ＵＥは、Ｅ−ＵＴＲＡＮ１０を構成する何れかの基地局ｅＮＢに接続（中継装置を介して接続する場合、または中継装置と接続する場合を含む）し、該基地局ｅＮＢを介して通信先との通信を実行可能に構成されている。上述したように、無線端末ＵＥが通信実行中の状態は接続状態（コネクテッドモード）と称され、無線端末ＵＥが待ち受け中の状態はアイドル状態（アイドルモード）と称される。
【００２４】
各基地局ｅＮＢは、オペレータによって設置される固定型の無線通信装置であり、無線端末ＵＥとの無線通信を行うように構成される。各基地局ｅＮＢは、自局（自セル）を識別可能に構成された無線信号である参照信号をブロードキャストにより常時送信している。また、各基地局ｅＮＢは、移動管理装置ＭＭＥ／ゲートウェイ装置Ｓ−ＧＷとの通信、及び保守監視装置ＯＡＭとの通信を、バックホールを介して行う。
【００２５】
移動管理装置ＭＭＥは無線端末ＵＥに対する各種モビリティ制御を行うように構成され、ゲートウェイ装置Ｓ−ＧＷは無線端末ＵＥが送受信するユーザデータの転送制御を行うように構成される。
【００２６】
保守監視装置ＯＡＭは、オペレータによって設置されるサーバ装置であり、Ｅ−ＵＴＲＡＮ１０の保守及び監視を行うように構成される。
【００２７】
本実施形態では、無線端末ＵＥの接続先の基地局ｅＮＢは、例えば保守監視装置ＯＡＭからの指示に応じて、Ｉｍｍｅｄｉａｔｅ  ＭＤＴを無線端末ＵＥに設定するためのメッセージであるＭｅａｓｕｒｅｍｅｎｔ  Ｃｏｎｆｉｇｕｒａｔｉｏｎ（設定メッセージ）を無線端末ＵＥに送信する。Ｍｅａｓｕｒｅｍｅｎｔ  Ｃｏｎｆｉｇｕｒａｔｉｏｎは、複数の設定パラメータ（ｃｏｎｆｉｇｕｒａｔｉｏｎ  ｐａｒａｍｅｔｅｒｓ）を含む。当該複数の設定パラメータは、測定対象とすべき基地局ｅＮＢ（セル）を指定するパラメータや、測定データをＥ−ＵＴＲＡＮ１０に報告すべき条件（トリガ）を指定するパラメータである報告トリガパラメータを含む。報告すべき条件（トリガ）とは、例えば、周期的なトリガや、サービングセルからのＲＳＲＰ／ＲＳＲＱが閾値を下回ったというトリガ等である。
【００２８】
Ｉｍｍｅｄｉａｔｅ  ＭＤＴを行うよう設定された無線端末ＵＥは、接続状態において無線環境（具体的には、参照信号受信電力（ＲＳＲＰ）／参照信号受信品質（ＲＳＲＱ））を基地局ｅＮＢ毎（セル毎）に測定し、当該測定時の位置情報を取得する。そして、無線端末ＵＥは、報告トリガパラメータにより指定された報告条件が満たされた際に、測定結果の情報と位置情報とを含む測定データをＥ−ＵＴＲＡＮ１０に報告する。なお、位置情報とは、無線端末ＵＥがＧＰＳ／ＧＮＳＳ機能を有している場合にはＧＰＳ／ＧＮＳＳ位置情報であり、無線端末ＵＥがＧＰＳ受信機能を有していない場合にはＲＦフィンガープリント情報である。
【００２９】
本実施形態では、Ｍｅａｓｕｒｅｍｅｎｔ  Ｃｏｎｆｉｇｕｒａｔｉｏｎに含まれる複数の設定パラメータは、測定データを不要とする測定不要エリアを指定するパラメータである測定不要エリアパラメータを含む。無線端末ＵＥは、報告トリガパラメータにより指定された報告条件が満たされた場合であっても、測定不要エリアパラメータにより指定された測定不要エリアで得られた測定データについてはＥ−ＵＴＲＡＮ１０に報告しないものとする。
【００３０】
無線端末ＵＥからの測定データを受信した基地局ｅＮＢは、受信した測定データを保守監視装置ＯＡＭに転送する。保守監視装置ＯＡＭは、このようにして得られた測定データに基づいてカバレッジ問題を発見すると、発見したカバレッジ問題を、オペレータに通知する、もしくは解消するためのネットワーク最適化を行う。あるいは、基地局ｅＮＢは、受信した測定データを保守監視装置ＯＡＭに転送せずに、当該受信した測定データを自局のカバレッジ問題を解消するための設定変更に使用してもよい。
【００３１】
図２は、本実施形態に係る基地局ｅＮＢの構成を示すブロック図である。
【００３２】
図２に示すように、基地局ｅＮＢは、アンテナ１０１と、無線通信部１１０と、ネットワーク通信部１２０と、記憶部１３０と、制御部１４０とを有する。
【００３３】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線通信を行うように構成される。送信については、無線通信部１１０は、制御部１４０から入力される送信信号の符号化及び変調を行った後、アップコンバート及び増幅を行ってアンテナ１０１に出力する。受信については、無線通信部１１０は、アンテナ１０１から入力される受信信号の増幅及びダウンコンバートを行った後、復調及び復号を行って制御部１４０に出力する。
【００３４】
ネットワーク通信部１２０は、図１に示すＸ２インターフェイスを用いて隣接基地局との基地局間通信を行う。また、ネットワーク通信部１２０は、図１に示すＳ１インターフェイスを用いてコアネットワーク（具体的には、移動管理装置ＭＭＥ、ゲートウェイ装置Ｓ−ＧＷ、保守監視装置ＯＡＭ）との通信を行う。本実施形態において、保守監視装置ＯＡＭは、基地局ｅＮＢの上位装置に相当する。
【００３５】
記憶部１３０は、例えばメモリを用いて構成され、基地局ｅＮＢの制御等に用いられる各種の情報を記憶する。制御部１４０は、例えばＣＰＵを用いて構成され、基地局ｅＮＢが備える各種の機能を制御する。本実施形態では、制御部１４０は、上述した測定不要エリアパラメータをＭｅａｓｕｒｅｍｅｎｔ  Ｃｏｎｆｉｇｕｒａｔｉｏｎに含めて無線端末ＵＥに送信するよう無線通信部１１０を制御する。このように、本実施形態において、制御部１４０及び無線通信部１１０は、送信部を構成する。
【００３６】
図３は、本実施形態に係る無線端末ＵＥの構成を示すブロック図である。ここでは、無線端末ＵＥが測位機能（ＧＰＳ機能）を有する一例を説明する。
【００３７】
図３に示すように、無線端末ＵＥは、アンテナ２０１と、無線通信部２１０と、測定部２２０と、ＧＰＳ受信機２３０と、記憶部２４０と、制御部２５０とを有する。また、無線端末ＵＥは、ユーザインターフェイス部やバッテリをさらに有していてもよい。
【００３８】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線通信を行うように構成される。送信については、無線通信部２１０は、制御部２５０から入力される送信信号の符号化及び変調を行った後、アップコンバート及び増幅を行ってアンテナ２０１に出力する。受信については、無線通信部２１０は、アンテナ２０１から入力される受信信号の増幅及びダウンコンバートを行った後、復調及び復号を行って制御部２５０に出力する。
【００３９】
本実施形態において、無線通信部２１０は、上述した測定不要エリアパラメータを含むＭｅａｓｕｒｅｍｅｎｔ  Ｃｏｎｆｉｇｕｒａｔｉｏｎを受信する受信部に相当する。
【００４０】
測定部２２０は、Ｅ−ＵＴＲＡＮ１０から無線通信部２１０が受信した参照信号に基づいて無線環境（ＲＳＲＰ／ＲＳＲＱ）を定期的に測定し、測定した無線環境を制御部２５０に出力する。
【００４１】
ＧＰＳ受信機２３０は、ＧＰＳ衛星からの信号を受信し、ＧＰＳによる位置情報を制御部２５０に定期的に出力する。
【００４２】
記憶部２４０は、例えばメモリを用いて構成され、無線端末ＵＥの制御等に用いられる各種の情報を記憶する。制御部２５０は、例えばＣＰＵを用いて構成され、無線端末ＵＥが備える各種の機能を制御する。制御部２５０は、無線通信部２１０が受信したＭｅａｓｕｒｅｍｅｎｔ  Ｃｏｎｆｉｇｕｒａｔｉｏｎに含まれる各設定パラメータに従って、無線環境の測定を行った後、当該測定の結果と当該測定時の位置情報とを含む測定データをＥ−ＵＴＲＡＮ１０に報告するよう制御する。
【００４３】
以下、上記のように構成された移動通信システム１で用いられる測定収集方法について説明する。
【００４４】
図４は、測定不要エリアの決定処理を説明するための図である。
【００４５】
図４に示すように、本実施形態では、基地局ｅＮＢの記憶部１３０は、自サービスエリア及び隣接基地局のサービスエリアのそれぞれについての測定データを記憶している。記憶される測定データは、無線端末ＵＥから報告された測定データだけを記憶していても構わないし、測定用車両で取得した測定データ（従来のドライブテスト方式による測定結果をコアネットワークからネットワーク通信部１２０を介して入力した値）も合わせて記憶していても構わない。
【００４６】
また、基地局ｅＮＢの記憶部１３０は、予め設定されているエリア解像度変数を保持している。本実施形態では、エリア解像度変数はＸ［ｍ］・Ｙ［ｍ］として基地局ｅＮＢの自サービスエリア及び隣接基地局のサービスエリアを正方形で分割する例を示すが、Ｘ・Ｙ値は例えば緯度・経度で指定しても良いし、基地局ｅＮＢからの距離と半径を指定して円状に分割する方法を採用しても良い。
【００４７】
基地局ｅＮＢの自サービスエリア及び隣接基地局のサービスエリアは、基地局ｅＮＢの現在位置を原点(０，０)として、エリア解像度変数Ｘ及びＹに従って、(ｍ＊Ｘ，  ｎ＊Ｙ)及び(（ｍ＋１）＊Ｘ，（ｎ＋１）＊Ｙ)を頂点とした複数の正方形のデータ収集グリッドに論理的に分割される。ここでｍ及びｎは整数であり、それぞれの上限値及び下限値は別途設定されているものとする。
【００４８】
基地局ｅＮＢの制御部２５０は、記憶部１３０から測定データを読み出し、各データ収集グリッドの範囲に該当する測定データについて集計を行う。データ収集グリッド毎のデータ集計の結果、ある期間内に統計処理するデータとして十分なデータ数が収集されている場合に、これ以上のデータ収集は不要と判断し、データ収集が不要なエリアの境界情報（緯度経度等）を測定不要エリアパラメータとして無線端末ＵＥに通知する。ここで、統計処理期間及び上限データ数の閾値は予め設定されている。
【００４９】
図５は、本実施形態に係る移動通信システム１の動作シーケンス図である。
【００５０】
図５に示すように、ステップＳ１１０において、基地局ｅＮＢは、上述した方法により、測定不要エリアを決定する。なお、ステップＳ１１０の詳細については後述する。
【００５１】
ステップＳ１２０において、基地局ｅＮＢは、決定した測定不要エリアを示す測定不要エリアパラメータをＭｅａｓｕｒｅｍｅｎｔ  Ｃｏｎｆｉｇｕｒａｔｉｏｎに含めて、接続状態の無線端末ＵＥに送信する。また、基地局ｅＮＢは、報告トリガパラメータもＭｅａｓｕｒｅｍｅｎｔ  Ｃｏｎｆｉｇｕｒａｔｉｏｎに含めて、接続状態の無線端末ＵＥに送信する。無線端末ＵＥは、複数の設定パラメータ（測定不要エリアパラメータや報告トリガパラメータ等）を含むＭｅａｓｕｒｅｍｅｎｔ  Ｃｏｎｆｉｇｕｒａｔｉｏｎを受信する。
【００５２】
ステップＳ１３０において、無線端末ＵＥは、受信したＭｅａｓｕｒｅｍｅｎｔ  Ｃｏｎｆｉｇｕｒａｔｉｏｎに含まれる複数の設定パラメータを記憶する。
【００５３】
ステップＳ１４０において、無線端末ＵＥは、ステップＳ１３０で記憶した複数の設定パラメータに従って、無線環境の測定を行い、測定データをＭｅｓｕｒｅｍｅｎｔ  Ｒｅｐｏｒｔに含めて基地局ｅＮＢに送信する。なお、ステップＳ１４０の詳細については後述する。
【００５４】
図６は、図５のステップＳ１１０の詳細を示すフローチャートである。本フローは、基地局ｅＮＢが定期的に実行する。
【００５５】
図６に示すように、ステップＳ１１１において、基地局ｅＮＢの制御部１４０は、測定データを収集し、データ収集グリッド（図４参照）毎に、測定データを記憶部１３０に保存する。
【００５６】
ステップＳ１１２において、基地局ｅＮＢの制御部１４０は、データ収集グリッド毎に保存された測定データに基づいて、データ数が閾値以上収集されたデータ収集グリッドが有るか否かを判定する。詳細には、データ収集グリッド毎に測定データ数を閾値と比較し、測定データ数が閾値以上になったデータ収集グリッドが有るか否かを判定する。
【００５７】
測定データ数が閾値以上になったデータ収集グリッドが有る場合（ステップＳ１１２；ＹＥＳ）、ステップＳ１１３において、基地局ｅＮＢの制御部１４０は、測定データ数が閾値以上になったデータ収集グリッドを測定不要エリアとして決定する。
【００５８】
図７は、図５のステップＳ１４０の詳細を示すフローチャートである。本フローは、Ｉｍｍｅｄｉａｔｅ  ＭＤＴを終了するまでは無線端末ＵＥが定期的に実行する。
【００５９】
図７に示すように、ステップＳ１４１において、無線端末ＵＥの制御部２５０は、ＧＰＳ受信機２３０を用いて生成された位置情報を取得する。当該位置情報は、無線端末ＵＥの現在位置を示している。
【００６０】
ステップＳ１４２において、無線端末ＵＥの制御部２５０は、ステップＳ１４１で取得した位置情報と、記憶部１３０に記憶されている測定不要エリアパラメータ（境界情報）とに基づいて、自端末が測定不要エリア内にあるか否かを判定する。詳細には、制御部２５０は、ステップＳ１４１で取得した位置情報によって示される位置（経度緯度等）が、記憶部１３０に記憶されている測定不要エリアパラメータによって示されるエリア境界の範囲内であるか否かを判定する。
【００６１】
ステップＳ１４２において自端末が測定不要エリア内にあると判定した場合（ステップＳ１４２；ＹＥＳ）、ステップＳ１４３において、無線端末ＵＥの制御部２５０は、測定報告不要モードに移行する。測定報告不要モードにおいては、制御部２５０は、測定部２２０による測定結果の情報及びＧＰＳ受信機２３０による位置情報を含む測定データを生成し、かつ報告トリガパラメータにより指定された報告条件が満たされても、当該測定データを基地局ｅＮＢに報告しないよう制御する。あるいは、制御部２５０は、測定報告不要モードにおいて、測定部２２０による測定を中止するよう制御してもよい。これにより、測定不要エリア内での測定データが基地局ｅＮＢに報告されることを防止する。
【００６２】
これに対し、ステップＳ１４２において自端末が測定不要エリア内にないと判定した場合（ステップＳ１４２；ＮＯ）、ステップＳ１４４において、無線端末ＵＥの制御部２５０は、測定報告実行モードに移行する。測定報告実行モードにおいては、制御部２５０は、測定部２２０による測定結果の情報及びＧＰＳ受信機２３０による位置情報を含む測定データを生成し、報告トリガパラメータにより指定された報告条件が満たされた際に当該測定データをＭｅｓｕｒｅｍｅｎｔ  Ｒｅｐｏｒｔに含めて基地局ｅＮＢに送信するよう制御する。
【００６３】
以上説明したように、本実施形態によれば、Ｉｍｍｅｄｉａｔｅ  ＭＤＴにおいて、測定不要エリアをネットワーク側で指定できるようにし、測定不要エリアに対応する測定データを無線端末ＵＥからＥ−ＵＴＲＡＮ１０に報告しないようにすることができるため、オペレータが不要な（重要でない）測定データを収集しないようにすることができる。また、重要でない測定データを収集しないようにすることで、不適切なオプティマイズを引き起こす可能性を低減できる。
【００６４】
［第１実施形態の第１変更例］
上述した第１実施形態では、ネットワーク側から無線端末ＵＥに対して、測定データを不要とする測定不要エリアを指定していたが、測定不要エリアに加えて、測定データを必要とする測定対象エリアを指定するようにしてもよい。本変更例では、測定対象エリア内の測定不要エリアをネットワーク側から無線端末ＵＥに対して通知する。すなわち、測定対象エリアは、測定不要エリアよりも広い範囲のエリアを指定するものであり、例えばセル単位又はトラッキングエリア単位で指定される。なお、セルとはサービスエリアの最小単位であり、トラッキングエリアとは複数のセルによって構成されるエリア単位である。また、測定不要エリアの指定方法については、上述した第１実施形態のような座標指定に限らず、セル単位での指定であってもよい。
【００６５】
図８は、本変更例に係る移動通信システム１の動作シーケンス図である。
【００６６】
図８に示すように、ステップＳ２１０において、基地局ｅＮＢは、測定対象エリア及び測定不要エリアを決定する。測定不要エリアの決定方法としては、第１実施形態と同様に、測定データが十分に収集されたエリアを測定不要エリアとして決定する方法を採用できる。これに対し、測定対象エリアの決定方法としては、測定データが少ないエリア（セル又はトラッキングエリア）、すなわち測定データ数が閾値よりも少ないエリア（セル又はトラッキングエリア）を測定対象エリアとして決定する方法を採用できる。
【００６７】
ステップＳ２２０において、基地局ｅＮＢは、決定した測定対象エリアを示す測定対象エリアパラメータと、決定した測定不要エリアを示す測定不要エリアパラメータとをＭｅａｓｕｒｅｍｅｎｔ  Ｃｏｎｆｉｇｕｒａｔｉｏｎに含めて、接続状態の無線端末ＵＥに送信する。また、基地局ｅＮＢは、報告トリガパラメータもＭｅａｓｕｒｅｍｅｎｔ  Ｃｏｎｆｉｇｕｒａｔｉｏｎに含めて、接続状態の無線端末ＵＥに送信する。無線端末ＵＥは、複数の設定パラメータ（測定不要エリアパラメータや、測定不要エリアパラメータ、報告トリガパラメータ等）を含むＭｅａｓｕｒｅｍｅｎｔ  Ｃｏｎｆｉｇｕｒａｔｉｏｎを受信する。
【００６８】
ステップＳ２３０において、無線端末ＵＥは、受信したＭｅａｓｕｒｅｍｅｎｔ  Ｃｏｎｆｉｇｕｒａｔｉｏｎに含まれる複数の設定パラメータを記憶する。
【００６９】
ステップＳ２４０において、無線端末ＵＥは、ステップＳ２３０で記憶した複数の設定パラメータに従って、無線環境の測定を行い、測定データをＭｅｓｕｒｅｍｅｎｔ  Ｒｅｐｏｒｔに含めて基地局ｅＮＢに送信する。
【００７０】
図９は、図８のステップＳ２４０の詳細を示すフローチャートである。本フローは、Ｉｍｍｅｄｉａｔｅ  ＭＤＴを終了するまでは無線端末ＵＥが定期的に実行する。
【００７１】
図９に示すように、ステップＳ２４１において、無線端末ＵＥの制御部２５０は、位置情報を取得する。当該位置情報は、ＧＰＳ受信機２３０を用いて得られる位置情報（経度緯度等）に加えて、例えば在圏セル（サービングセル）を特定する情報又は在圏トラッキングエリアを特定する情報を含む。なお、在圏セルを特定する情報又は在圏トラッキングエリアを特定する情報は、Ｅ−ＵＴＲＡＮ１０からの参照信号や報知情報から得ることができる。
【００７２】
ステップＳ２４２において、無線端末ＵＥの制御部２５０は、ステップＳ２４１で取得した位置情報と、記憶部１３０に記憶されている測定対象エリアパラメータとに基づいて、自端末が測定対象エリア内にあるか否かを判定する。詳細には、制御部２５０は、ステップＳ１４２で取得した位置情報によって示される位置（在圏セル又は在圏トラッキングエリア）が、記憶部１３０に記憶されている測定対象エリアパラメータによって示される測定対象セル又は測定対象トラッキングエリアの範囲内であるか否かを判定する。
【００７３】
ステップＳ２４２において自端末が測定対象エリア内にないと判定した場合（ステップＳ２４２；ＮＯ）、ステップＳ２４３において、無線端末ＵＥの制御部２５０は、測定報告不要モードに移行する。測定報告不要モードでの動作は第１実施形態で説明した動作と同様である。
【００７４】
これに対し、ステップＳ２４２において自端末が測定対象エリア内にあると判定した場合（ステップＳ２４２；ＹＥＳ）、ステップＳ２４４において、無線端末ＵＥの制御部２５０は、ステップＳ２４１で取得した位置情報と、記憶部１３０に記憶されている測定不要エリアパラメータ（境界情報）とに基づいて、自端末が測定不要エリア内にあるか否かを判定する。詳細には、制御部２５０は、ステップＳ２４１で取得した位置情報によって示される位置（経度緯度等）が、記憶部１３０に記憶されている測定不要エリアパラメータによって示されるエリア境界の範囲内であるか否かを判定する。
【００７５】
ステップＳ２４４において自端末が測定不要エリア内にあると判定した場合（ステップＳ２４４；ＹＥＳ）、ステップＳ２４３において、無線端末ＵＥの制御部２５０は、測定報告不要モードに移行する。
【００７６】
これに対し、ステップＳ２４４において自端末が測定不要エリア内にないと判定した場合（ステップＳ２４４；ＮＯ）、ステップＳ２４５において、無線端末ＵＥの制御部２５０は、測定報告実行モードに移行する。測定報告実行モードでの動作は第１実施形態で説明した動作と同様である。
【００７７】
以上説明したように、本変更例によれば、Ｉｍｍｅｄｉａｔｅ  ＭＤＴにおいて、測定不要エリアに加えて測定対象エリアをネットワーク側で指定できるようにし、測定対象エリア内の測定不要エリアに対応する測定データを無線端末ＵＥからＥ−ＵＴＲＡＮ１０に報告しないようにすることができるため、特定のセル又はトラッキングエリアについての測定データを収集しつつ、オペレータが不要な（重要でない）測定データは収集しないようにすることができる。
【００７８】
［第１実施形態の第２変更例］
上述した第１実施形態では、無線端末ＵＥがＧＰＳ受信機２３０を有しているか否かに拘わらず、測定不要エリアを座標指定でネットワーク側から無線端末ＵＥに通知していたが、無線端末ＵＥがＧＰＳ受信機２３０を有していることを確認した上で測定不要エリアを座標指定でネットワーク側から無線端末ＵＥに通知してもよい。
【００７９】
図１０は、本変更例に係る移動通信システム１の動作シーケンス図である。図１０において、ステップＳ３２０及びステップＳ３３０以外の処理は第１実施形態と同様であるため、ここではステップＳ３２０及びステップＳ３３０の処理について説明する。
【００８０】
ステップＳ３２０において、接続状態の無線端末ＵＥは、自端末の能力を示す能力情報を含むメッセージであるＵＥ  Ｃａｐａｂｉｌｉｔｙを基地局ｅＮＢに送信する。能力情報は、無線端末ＵＥが測位機能（ＧＰＳ受信機２３０）を有しているか否かの情報を含む。基地局ｅＮＢは、ＵＥ  Ｃａｐａｂｉｌｉｔｙを受信する。
【００８１】
ステップＳ３３０において、基地局ｅＮＢは、受信したＵＥ  Ｃａｐａｂｉｌｉｔｙに基づいて、無線端末ＵＥが測位機能（ＧＰＳ受信機２３０）を有しているか否かを判定する。そして、基地局ｅＮＢは、無線端末ＵＥが測位機能（ＧＰＳ受信機２３０）を有していると判定した場合にのみ、座標指定の測定不要エリアパラメータをＭｅａｓｕｒｅｍｅｎｔ  Ｃｏｎｆｉｇｕｒａｔｉｏｎに含めて無線端末ＵＥに送信する。
【００８２】
［第２実施形態］
上述した第１実施形態においてはＩｍｍｅｄｉａｔｅ  ＭＤＴにおいて測定不要エリアを指定する方法を説明したが、本実施形態においてはＬｏｇｇｅｄ  ＭＤＴにおいて測定不要エリアを指定する方法を説明する。
【００８３】
Ｌｏｇｇｅｄ  ＭＤＴにおいては、無線端末ＵＥは、アイドル状態においてＥ−ＵＴＲＡＮ１０からの無線環境を測定して記録し、アイドル状態から接続状態に移行する際に測定データをＥ−ＵＴＲＡＮ１０に報告する。以下においては、無線端末ＵＥが測定データを適宜生成・記録する処理を「ロギング」と称する。
【００８４】
移動通信システム１の構成は第１実施形態と同様であるため、以下、第２実施形態に係る測定収集方法を説明する。
【００８５】
図１１は、本実施形態に係る移動通信システム１の動作シーケンス図である。
【００８６】
図１１に示すように、ステップＳ４１０において、基地局ｅＮＢは、測定不要エリアを決定する。測定不要エリアの決定方法は第１実施形態と同様である。
【００８７】
ステップＳ４２０において、基地局ｅＮＢは、決定した測定不要エリアを示す測定不要エリアパラメータをＬｏｇｇｉｎｇ  Ｃｏｎｆｉｇｕｒａｔｉｏｎ（設定メッセージ）に含めて、接続状態の無線端末ＵＥに送信する。また、基地局ｅＮＢは、ロギングを行う条件（トリガ）を指定するロギングトリガパラメータもＬｏｇｇｉｎｇ  Ｃｏｎｆｉｇｕｒａｔｉｏｎに含めて、接続状態の無線端末ＵＥに送信する。無線端末ＵＥは、複数の設定パラメータ（測定不要エリアパラメータやロギングトリガパラメータ等）を含むＬｏｇｇｉｎｇ  Ｃｏｎｆｉｇｕｒａｔｉｏｎを受信する。
【００８８】
ステップＳ４３０において、無線端末ＵＥは、受信したＬｏｇｇｉｎｇ  Ｃｏｎｆｉｇｕｒａｔｉｏｎに含まれる複数の設定パラメータを記憶する。
【００８９】
ステップＳ４４０において、無線端末ＵＥは、接続状態からアイドル状態に移行する。
【００９０】
ステップＳ４５０において、無線端末ＵＥは、ステップＳ４３０で記憶した複数の設定パラメータに従って、ロギングを行う。なお、ステップＳ４５０の詳細については後述する。
【００９１】
ステップＳ４６０において、無線端末ＵＥは基地局ｅＮＢとの接続処理を行い、ステップＳ４７０において、無線端末ＵＥはアイドル状態から接続状態に移行する。なお、ここで接続処理を行う基地局ｅＮＢは、Ｌｏｇｇｉｎｇ  Ｃｏｎｆｉｇｕｒａｔｉｏｎ時の基地局ｅＮＢとは異なるものであってもよい。
【００９２】
ステップＳ４８０において、無線端末ＵＥは、基地局ｅＮＢとの接続処理が完了したことを示すＲＲＣ  Ｃｏｎｎｅｃｔｉｏｎ  Ｓｅｔｕｐ  Ｃｏｍｐｌｅｔｅを基地局ｅＮＢに送信する。ここで、無線端末ＵＥは、測定データを記録（保持）している旨の情報をＲＲＣ  Ｃｏｎｎｅｃｔｉｏｎ  Ｓｅｔｕｐ  Ｃｏｍｐｌｅｔｅに含めて基地局ｅＮＢに送信する。
【００９３】
ステップＳ４９０において、基地局ｅＮＢは、無線端末ＵＥが保持する測定データを取得すると判断した場合に、測定データの報告を要求するＵＥ  Ｉｎｆｏｒｍａｔｉｏｎ  Ｒｅｑｕｅｓｔを無線端末ＵＥに送信する。
【００９４】
ステップＳ４９１において、無線端末ＵＥは、基地局ｅＮＢから受信したＵＥ  Ｉｎｆｏｒｍａｔｉｏｎ  Ｒｅｑｕｅｓｔに応じて、保持している測定データを基地局ｅＮＢに送信（報告）する。
【００９５】
図１２は、図１１のステップＳ４５０の詳細を示すフローチャートである。本フローは、Ｌｏｇｇｅｄ  ＭＤＴ（ロギング）を終了するまでは無線端末ＵＥが定期的に実行する。
【００９６】
図１２に示すように、ステップＳ４５１において、無線端末ＵＥの制御部２５０は、ＧＰＳ受信機２３０を用いて生成された位置情報を取得する。当該位置情報は、無線端末ＵＥの現在位置を示している。
【００９７】
ステップＳ４５２において、無線端末ＵＥの制御部２５０は、ステップＳ４５１で取得した位置情報と、記憶部１３０に記憶されている測定不要エリアパラメータ（境界情報）とに基づいて、自端末が測定不要エリア内にあるか否かを判定する。詳細には、制御部２５０は、ステップＳ４５１で取得した位置情報によって示される位置（経度緯度等）が、記憶部１３０に記憶されている測定不要エリアパラメータによって示されるエリア境界の範囲内であるか否かを判定する。
【００９８】
ステップＳ４５２において自端末が測定不要エリア内にあると判定した場合（ステップＳ４５２；ＹＥＳ）、ステップＳ４５３において、無線端末ＵＥの制御部２５０は、ロギング不要モードに移行する。ロギング不要モードにおいては、制御部２５０は、測定データを生成し、かつロギングトリガパラメータにより指定されたロギング条件が満たされても、当該測定データを記憶部２４０に記録しないよう制御する。あるいは、制御部２５０は、ロギング不要モードにおいて、測定データの生成を中止するよう制御してもよく、一旦測定データを記憶部２４０に記憶してそれを削除するよう制御してもよい。これにより、測定不要エリア内での測定データが基地局ｅＮＢに報告されることを防止する。
【００９９】
これに対し、ステップＳ４５２において自端末が測定不要エリア内にないと判定した場合（ステップＳ４５２；ＮＯ）、ステップＳ４５４において、無線端末ＵＥの制御部２５０は、ロギング実行モードに移行する。ロギング実行モードにおいては、制御部２５０は、測定部２２０による測定結果の情報、ＧＰＳ受信機２３０による位置情報、及びタイムスタンプを含む測定データを生成し、ロギングトリガパラメータにより指定されたロギング条件が満たされた際に当該測定データを記憶部２４０に記録するよう制御する。
【０１００】
以上説明したように、本実施形態によれば、Ｌｏｇｇｅｄ  ＭＤＴにおいて、測定不要エリアをネットワーク側で指定できるようにし、測定不要エリアに対応する測定データを無線端末ＵＥからＥ−ＵＴＲＡＮ１０に報告しないようにすることができるため、オペレータが不要な（重要でない）測定データを収集しないようにすることができる。また、重要でない測定データを収集しないようにすることで、不適切なオプティマイズを引き起こす可能性を低減できる。さらに、測定不要エリアにおいてロギングを中断することによって、無線端末ＵＥのメモリ容量や消費電力を削減することができる。
【０１０１】
［第２実施形態の第１変更例］
上述した第２実施形態では、ネットワーク側から無線端末ＵＥに対して、測定データを不要とする測定不要エリアを指定していたが、測定不要エリアに加えて、測定データを必要とする測定対象エリアを指定するようにしてもよい。本変更例では、測定対象エリア内の測定不要エリアをネットワーク側から無線端末ＵＥに対して通知する。すなわち、測定対象エリアは、測定不要エリアよりも広い範囲のエリアを指定するものであり、例えばセル単位又はトラッキングエリア単位で指定される。なお、セルとはサービスエリアの最小単位であり、トラッキングエリアとは複数のセルによって構成されるエリア単位である。また、測定不要エリアの指定方法については、上述した第２実施形態のような座標指定に限らず、セル単位での指定であってもよい。
【０１０２】
図１３は、本変更例に係る移動通信システム１の動作シーケンス図である。
【０１０３】
図１３に示すように、ステップＳ５１０において、基地局ｅＮＢは、測定対象エリア及び測定不要エリアを決定する。測定不要エリアの決定方法としては、第１実施形態と同様に、測定データが十分に収集されたエリアを測定不要エリアとして決定する方法を採用できる。これに対し、測定対象エリアの決定方法としては、測定データが少ないエリア（セル又はトラッキングエリア）、すなわち測定データ数が閾値よりも少ないエリア（セル又はトラッキングエリア）を測定対象エリアとして決定する方法を採用できる。
【０１０４】
ステップＳ５２０において、基地局ｅＮＢは、決定した測定対象エリアを示す測定対象エリアパラメータと、決定した測定不要エリアを示す測定不要エリアパラメータとをＬｏｇｇｉｎｇ  Ｃｏｎｆｉｇｕｒａｔｉｏｎに含めて、接続状態の無線端末ＵＥに送信する。また、基地局ｅＮＢは、ロギングトリガパラメータもＬｏｇｇｉｎｇ  Ｃｏｎｆｉｇｕｒａｔｉｏｎに含めて、接続状態の無線端末ＵＥに送信する。無線端末ＵＥは、複数の設定パラメータ（測定不要エリアパラメータや、測定不要エリアパラメータ、ロギングトリガパラメータ等）を含むＬｏｇｇｉｎｇ  Ｃｏｎｆｉｇｕｒａｔｉｏｎを受信する。
【０１０５】
ステップＳ５３０において、無線端末ＵＥは、受信したＬｏｇｇｉｎｇ  Ｃｏｎｆｉｇｕｒａｔｉｏｎに含まれる複数の設定パラメータを記憶する。
【０１０６】
ステップＳ５４０において、無線端末ＵＥは、接続状態からアイドル状態に移行する。
【０１０７】
ステップＳ５５０において、無線端末ＵＥは、ステップＳ５３０で記憶した複数の設定パラメータに従って、ロギングを行う。なお、ステップＳ５５０の詳細については後述する。また、ステップＳ５６０以降の処理は、上述した第２実施形態と同様である。
【０１０８】
図１４は、図１３のステップＳ５５０の詳細を示すフローチャートである。本フローは、Ｌｏｇｇｅｄ  ＭＤＴ（ロギング）を終了するまでは無線端末ＵＥが定期的に実行する。
【０１０９】
図１４に示すように、ステップＳ５５１において、無線端末ＵＥの制御部２５０は、位置情報を取得する。当該位置情報は、ＧＰＳ受信機２３０を用いて得られる位置情報（経度緯度等）に加えて、例えば在圏セル（サービングセル）を特定する情報又は在圏トラッキングエリアを特定する情報を含む。なお、在圏セルを特定する情報又は在圏トラッキングエリアを特定する情報は、Ｅ−ＵＴＲＡＮ１０からの参照信号や報知情報から得ることができる。
【０１１０】
ステップＳ５５２において、無線端末ＵＥの制御部２５０は、ステップＳ５５１で取得した位置情報と、記憶部１３０に記憶されている測定対象エリアパラメータとに基づいて、自端末が測定対象エリア内にあるか否かを判定する。詳細には、制御部２５０は、ステップＳ５５１で取得した位置情報によって示される位置（在圏セル又は在圏トラッキングエリア）が、記憶部１３０に記憶されている測定対象エリアパラメータによって示される測定対象セル又は測定対象トラッキングエリアの範囲内であるか否かを判定する。
【０１１１】
ステップＳ５５２において自端末が測定対象エリア内にないと判定した場合（ステップＳ５５２；ＮＯ）、ステップＳ５５３において、無線端末ＵＥの制御部２５０は、ロギング不要モードに移行する。ロギング不要モードでの動作は第２実施形態で説明した動作と同様である。
【０１１２】
これに対し、ステップＳ５５２において自端末が測定対象エリア内にあると判定した場合（ステップＳ５５２；ＹＥＳ）、ステップＳ５５４において、無線端末ＵＥの制御部２５０は、ステップＳ５５１で取得した位置情報と、記憶部１３０に記憶されている測定不要エリアパラメータ（境界情報）とに基づいて、自端末が測定不要エリア内にあるか否かを判定する。詳細には、制御部２５０は、ステップＳ５５１で取得した位置情報によって示される位置（経度緯度等）が、記憶部１３０に記憶されている測定不要エリアパラメータによって示されるエリア境界の範囲内であるか否かを判定する。
【０１１３】
ステップＳ５５４において自端末が測定不要エリア内にあると判定した場合（ステップＳ５５４；ＹＥＳ）、ステップＳ５５３において、無線端末ＵＥの制御部２５０は、ロギング不要モードに移行する。
【０１１４】
これに対し、ステップＳ５５４において自端末が測定不要エリア内にないと判定した場合（ステップＳ５５４；ＮＯ）、ステップＳ５５５において、無線端末ＵＥの制御部２５０は、ロギング実行モードに移行する。ロギング実行モードでの動作は第２実施形態で説明した動作と同様である。
【０１１５】
以上説明したように、本変更例によれば、Ｉｍｍｅｄｉａｔｅ  ＭＤＴにおいて、測定不要エリアに加えて測定対象エリアをネットワーク側で指定できるようにし、測定対象エリア内の測定不要エリアに対応する測定データを無線端末ＵＥからＥ−ＵＴＲＡＮ１０に報告しないようにすることができるため、特定のセル又はトラッキングエリアについての測定データを収集しつつ、オペレータが不要な（重要でない）測定データは収集しないようにすることができる。
【０１１６】
［第２実施形態の第２変更例］
上述した第２実施形態では、無線端末ＵＥがＧＰＳ受信機２３０を有しているか否かに拘わらず、測定不要エリアを座標指定でネットワーク側から無線端末ＵＥに通知していたが、無線端末ＵＥがＧＰＳ受信機２３０を有していることを確認した上で測定不要エリアを座標指定でネットワーク側から無線端末ＵＥに通知してもよい。
【０１１７】
図１５は、本変更例に係る移動通信システム１の動作シーケンス図である。図１５において、ステップＳ６２０及びステップＳ６３０以外の処理は第２実施形態と同様であるため、ここではステップＳ６２０及びステップＳ６３０の処理について説明する。
【０１１８】
ステップＳ６２０において、接続状態の無線端末ＵＥは、自端末の能力を示す能力情報を含むメッセージであるＵＥ  Ｃａｐａｂｉｌｉｔｙを基地局ｅＮＢに送信する。能力情報は、無線端末ＵＥが測位機能（ＧＰＳ受信機２３０）を有しているか否かの情報を含む。基地局ｅＮＢは、ＵＥ  Ｃａｐａｂｉｌｉｔｙを受信する。
【０１１９】
ステップＳ６３０において、基地局ｅＮＢは、受信したＵＥ  Ｃａｐａｂｉｌｉｔｙに基づいて、無線端末ＵＥが測位機能（ＧＰＳ受信機２３０）を有しているか否かを判定する。そして、基地局ｅＮＢは、無線端末ＵＥが測位機能（ＧＰＳ受信機２３０）を有していると判定した場合にのみ、座標指定の測定不要エリアパラメータをＬｏｇｇｉｎｇ  Ｃｏｎｆｉｇｕｒａｔｉｏｎに含めて無線端末ＵＥに送信する。
【０１２０】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２１】
上述した各実施形態では、基地局ｅＮＢが、収集した測定データに基づいて測定不要エリアを決定していた。しかしながら、保守監視装置ＯＡＭが、測定データを収集し、当該収集した測定データに基づいて測定不要エリアを決定し、当該決定した測定不要エリアを基地局ｅＮＢに通知してもよい。
【０１２２】
上述した各実施形態では、一旦設定された測定不要エリアが維持される一例を説明したが、一旦設定された測定不要エリアを初期化できるように構成されていてもよい。例えば、データ収集の再開が必要になった場合に、データ収集再開通知を無線端末ＵＥに対して行うようにしてもよい。あるいは、測定不要エリアを設定する際に当該設定の持続時間（タイムアウト時間）を通知しても良い。
【０１２３】
このように本発明は、ここでは記載していない様々な実施形態等を包含するということを理解すべきである。
【符号の説明】
【０１２４】
ＭＭＥ…移動管理装置、ＯＡＭ…保守監視装置、Ｓ−ＧＷ…ゲートウェイ装置、ｅＮＢ…基地局、１…移動通信システム、１０…Ｅ−ＵＴＲＡＮ、１０１…アンテナ、１１０…無線通信部、１２０…ネットワーク通信部、１３０…記憶部、１４０…制御部、２０１…アンテナ、２１０…無線通信部、２２０…測定部、２３０…ＧＰＳ受信機、２４０…記憶部、２５０…制御部
【図１】
0005763398.tif 000002
【図２】
0005763398.tif 000003
【図３】
0005763398.tif 000004
【図４】
0005763398.tif 000005
【図５】
0005763398.tif 000006
【図６】
0005763398.tif 000007
【図７】
0005763398.tif 000008
【図８】
0005763398.tif 000009
【図９】
0005763398.tif 000010
【図１０】
0005763398.tif 000011
【図１１】
0005763398.tif 000012
【図１２】
0005763398.tif 000013
【図１３】
0005763398.tif 000014
【図１４】
0005763398.tif 000015
【図１５】
0005763398.tif 000016